(57)【特許請求の範囲】
【請求項１】
非常時に外部の予備電源から電力の供給を受けて器具本体に備えた光源部を点灯する電源別置型の非常用照明器具であって、
前記光源部としてＬＥＤを備え該ＬＥＤを一表面側に実装する配線基板と、前記ＬＥＤを点灯させる点灯回路の回路部品を実装する回路基板と、該回路基板を内部に収納するとともに、外側に該外側の一面と前記配線基板の他表面側とを対向させて前記配線基板を保持する樹脂ケースと、前記光源部を露出させる開口部を備え前記樹脂ケースを収容する前記器具本体とを有し、
前記樹脂ケースの外周面と、前記器具本体の内周面との間には、隙間を有することを特徴とする非常用照明器具。
【請求項２】
前記樹脂ケースは、該樹脂ケースの前記一面側から立設した立設部から前記一面と平行方向に突出する突起を備えた保持部を備え、該保持部の前記突起と前記一面との間に前記配線基板の縁部を挟持して前記配線基板を保持していることを特徴とする請求項１に記載の非常用照明器具。
【請求項３】
前記配線基板は、前記配線基板の前記他表面側に前記ＬＥＤと電気的に接続されたコネクタ接続部を備え、該コネクタ接続部と、前記樹脂ケースの内部に収容した前記回路基板に設けられ前記点灯回路と電気的に接続されたコネクタとが、前記樹脂ケースの貫通孔を通して電気的および機械的に接続されてなることを特徴とする請求項１または請求項２に記載の非常用照明器具。
【請求項４】
前記器具本体と前記樹脂ケースとは、前記隙間に挿入された保持枠により一体化されていることを特徴とする請求項１ないし請求項３のいずれか１項に記載の非常用照明器具。
【発明の詳細な説明】
【技術分野】
【０００１】
本発明は、商用電源の停電時に点灯する非常用照明器具に関する。
【背景技術】
【０００２】
従来より、建物などには、火災や地震などの災害発生時に起きる商用電源の停電で周囲の状況を把握できなくなり避難が困難になることを防止するため、避難通路の照度を確保する非常用照明器具が設けられている。
【０００３】
この種の非常用照明器具には、光源部と、非常用の予備電源として機能する蓄電池（たとえば、ニッケル水素二次電池など）とを器具本体に内蔵した電源内蔵型の非常用照明器具と、商用電源が停電する非常時に外部の予備電源（たとえば、非常用の直流電源装置など）から電力の供給を受けて器具本体の光源部を点灯する電源別置型の非常用照明器具とがある。
【０００４】
ここで、電源別置型の非常用照明器具は、たとえば、病院、映画館、百貨店などの特殊施設やオフィスビルやマンションなどの大規模施設において数百個から数千個も設置される。各非常用照明器具は、光源部を点灯するため、耐火電線などにより外部の予備電源と電気的に接続している。電源別置型の非常用照明器具は、商用電源の停電時に予備電源が即時に起動し所定の時間（たとえば、３０分）の間、予備電源から耐火電線を介して電力の供給を受け、光源部を点灯することが可能に構成している。
【０００５】
電源別置型の非常用照明器具は、電源内蔵型の非常用照明器具のように、各非常用照明器具の器具本体に蓄電池を内蔵していない。そのため、電源別置型の非常用照明器具は、電源内蔵型の非常用照明器具のように、蓄電池の寿命に伴い各非常用照明器具それぞれから個別に蓄電池を取り出して交換する作業が必要でない。電源別置型の非常用照明器具は、非常用照明器具に共通の外部の予備電源を保守点検などするだけで済む。そのため、電源別置型の非常用照明器具は、電源内蔵型の非常用照明器具を数百個から数千個設置させた場合と比較して、数百個から数千個にもおよぶ個別の非常用照明器具の各蓄電池を点検交換する手間を省くことが可能というメリットがある。
【０００６】
ところで、非常用照明器具は、一般に、光源部としてハロゲン電球やシリカ電球などの白熱電球が使用されている。そのため、非常用照明器具は、消費電力（たとえば、ハロゲン電球では、４０Ｗ）が大きい。非常用照明器具を数百個から数千個も設置する場合、電源別置型の非常用照明器具と電気的に接続される予備電源は、電源容量が比較的大きなものを必要とし、電源別置型の非常用照明器具の設置時における初期費用が高くなる傾向にある。また、電源別置型の非常用照明器具と電気的に接続する電源容量が大きな予備電源は、予備電源自体の大きさが大型であるため、予備電源の設置場所を確保するのが難しいという問題も生ずる。
【０００７】
また、非常用照明器具を天井材に設置した場合、非常用照明器具は、器具本体直下から所定の半径内の床面の水平面照度を所定の照度以上とできるようにすることが求められる。光源部にハロゲン電球などを用いた非常用照明器具では、器具本体から照射される軸上光度が低く、且つ周囲にいくほど光度が高くなるような配光特性を得られる反射鏡が必要となる。また、光源部にハロゲン電球などを用いた非常用照明器具は、ハロゲン電球などの寿命を考慮して定期的に取り替え可能なようにソケットが必要となる。そのため、電源別置型の非常用照明器具は、電源内蔵型の非常用照明器具のように、蓄電池が内蔵されていないにもかかわらず、器具本体の高さ方向の寸法を小さくすることが難しい問題がある。
【０００８】
ところで、近年、ハロゲン電球などと比較して、長寿命で小型且つ、低消費電力であるＬＥＤを光源部として備えた照明器具が開発されている。ここで、非常用照明器具ではないが、光源部としてＬＥＤを備えた照明器具として、たとえば、図４に示すように、ランプ装置３０と、ランプ装置３０の口金部３５が挿入される嵌合孔を備えたソケット装置１３と、ソケット装置１３が当接する平板部１７および平板部１７と繋がった反射板部１８を備えた器具本体１２とを有するダウンライトが知られている（たとえば、特許文献１）。
【０００９】
ここで、ランプ装置３０は、光源部として複数個のＬＥＤ３２を備え、これらＬＥＤ３２を一表面側に実装する配線基板４８と、ＬＥＤ３２を点灯する点灯回路の回路部品５０を実装する回路基板４９と、配線基板４８の他表面３６側と回路基板４９側とを密着させる平円盤状の金属部品３９とを有し、熱伝導接続手段たる螺子４２によって金属部品３９をランプ装置本体３１に螺子止めしている。
【００１０】
上述の特許文献１のランプ装置３０は、金属部品３９がランプ装置本体３１の金属部３８である外周部４０の接触面４１に当接している。ランプ装置３０は、リード線５１を介して回路基板４９と電気的に接続したランプピン４５の径大部４７を、ソケット装置１３の接続孔に挿入して固定するとともに電気的に接続している。このとき、ランプ装置３０は、ソケット装置１３と当接面４３で当接している。なお、ランプピン４５は、絶縁材４６でランプ装置本体３１と電気的に絶縁されている。また、ランプ装置３０のランプ装置本体３１は、放熱のためアルミダイカスト製としている。
【００１１】
上述の特許文献１のダウンライトを非常用照明器具に応用した場合、非常用照明器具は、光源部としてＬＥＤ３２を備えることで、一般の非常用照明器具におけるハロゲン電球などと比較して、光源部の寿命に伴う交換の手間を少なくすることができる。また、特許文献１のダウンライトを応用した非常用照明器具は、非常用照明器具の配光特性に合わせたハロゲン電球用の反射鏡を用ける必要もない。そのため、特許文献１のＬＥＤ３２を光源部としたダウンライトを電源別置型の非常用照明器具に応用した場合、非常用照明器具を小型化することが可能となる。
【００１２】
ここで、ランプ装置３０は、光源部となるＬＥＤ３２の点灯に伴う発熱により、ＬＥＤ３２自体の温度が高くなる。ＬＥＤ３２は、ＬＥＤ３２自体の温度が高くなり過ぎると、熱劣化してＬＥＤ３２の寿命が急激に短くなる特性を備えている。光源部としてＬＥＤ３２を備えた上述の特許文献１のダウンライトでは、ＬＥＤ３２の寿命を長寿命(たとえば、２万時間から４万時間)とするため、ＬＥＤ３２自体の温度を下げる放熱構造を備えている。すなわち、特許文献１のランプ装置３０では、ＬＥＤ３２の発熱により生じた熱を配線基板４８と接触させた平円盤状の金属部品３９および金属部品３９をランプ装置本体３１に螺子止めする螺子４２を介してアルミダイカスト製のランプ装置本体３１側に放熱させる構成としている。これにより、特許文献１のランプ装置３０は、光源部のＬＥＤ３２の温度を所定の許容温度以下に維持することでＬＥＤ３２の寿命を確保している。
【先行技術文献】
【特許文献】
【００１３】
【特許文献１】特開２０１０−１２９４８８号公報
【発明の概要】
【発明が解決しようとする課題】
【００１４】
しかしながら、上述した特許文献１の光源部としてＬＥＤ３２を備えたランプ装置３０では、放熱のためにアルミダイカスト製のランプ装置本体３１を使用しているため、製造コストの上昇を招くという問題がある。また、ランプ装置３０は、ＬＥＤ３２からの熱を外部に放出させるため、ＬＥＤ３２からの熱を金属部品３９や螺子４２を介してランプ装置本体３１側に熱伝導させる構造が必要となる。特に、ＬＥＤ３２からの熱をランプ装置本体３１側に効率よく熱伝導させるため、螺子４２の螺子締めに注意を要する。そのため、ランプ装置３０は、構造が複雑で製造に手間が掛かり製造コストの上昇を招くという問題がある。
【００１５】
特に、電源別置型の非常用照明器具は、大規模施設などに一度に数百個から数千個も設置されるものであり、より簡単な構造で、製造コストの上昇を招くことなく小型化が可能なものが望まれている。そのため、単純に、光源部としてＬＥＤを備えたダウンライトを電源別置型の非常用照明器具の構成とするだけでは、十分ではない。
【００１６】
本発明は上記事由に鑑みてなされたものであり、その目的は、低消費電力化、小型化および製造コストの低減を図ることが可能な電源別置型の非常用照明器具を提供することにある。
【課題を解決するための手段】
【００１７】
本発明の非常用照明器具は、非常時に外部の予備電源から電力の供給を受けて器具本体に備えた光源部を点灯する電源別置型の非常用照明器具であって、上記光源部としてＬＥＤを備え該ＬＥＤを一表面側に実装する配線基板と、上記ＬＥＤを点灯させる点灯回路の回路部品を実装する回路基板と、該回路基板を内部に収納するとともに、外側に該外側の一面と上記配線基板の他表面側とを対向させて上記配線基板を保持する樹脂ケースと、上記光源部を露出させる開口部を備え上記樹脂ケースを収容する上記器具本体とを有し、上記樹脂ケースの外周面と、上記器具本体の内周面との間には、隙間を有することを特徴とする。
【００１８】
この非常用照明器具において、上記樹脂ケースは、該樹脂ケースの上記一面側から立設した立設部から上記一面と平行方向に突出する突起を備えた保持部を備え、該保持部の上記突起と上記一面との間に上記配線基板の縁部を挟持して上記配線基板を保持していることが好ましい。
【００１９】
この非常用照明器具において、上記配線基板は、上記配線基板の上記他表面側に上記ＬＥＤと電気的に接続されたコネクタ接続部を備え、該コネクタ接続部と、上記樹脂ケースの内部に収容した上記回路基板に設けられ上記点灯回路と電気的に接続されたコネクタとが、上記樹脂ケースの貫通孔を通して電気的および機械的に接続されてなることが好ましい。
この非常用照明器具において、上記器具本体と上記樹脂ケースとは、上記隙間に挿入された保持枠により一体化されていることが好ましい。
【発明の効果】
【００２０】
本発明の非常用照明器具は、低消費電力化、小型化および製造コストの低減を図ることが可能な電源別置型の非常用照明器具を提供することが可能になるという効果がある。
【図面の簡単な説明】
【００２１】
【図１】実施形態１の非常用照明器具の概略断面図である。
【図２】実施形態２の非常用照明器具の概略断面図である。
【図３】実施形態３の非常用照明器具の概略断面図である。
【図４】従来の照明器具の概略断面図である。
【発明を実施するための形態】
【００２２】
（実施形態１）
以下、本実施形態の電源別置型の非常用照明器具１０を図１に基づいて説明する。なお、図中において同じ部材に対しては、同じ番号を付している。
【００２３】
本実施形態の非常用照明器具１０は、非常時に外部の図示していない予備電源（たとえば、複数個の蓄電池を直並列に接続させた非常用の直流電源装置）からの電力の供給を受けて器具本体１に備えた光源部３を点灯する。非常用照明器具１０は、有底円筒状の外殻部となる器具本体１と、該器具本体１の内部に収容できるように、外周面２ｃが器具本体１の内周面１ｅと相似形で器具本体１よりも若干小さい円柱状の樹脂ケース２とを備えている。また、非常用照明器具１０の樹脂ケース２は、光源部３を構成する複数個（ここでは、３個）のＬＥＤ３ａが一表面５ａ側に実装されたガラスエポキシ樹脂材料からなる配線基板５の他表面５ｂ側を樹脂ケース２の外側の一面２ｆと対向させて配線基板５を保持している。
【００２４】
樹脂ケース２の内部２ｇには、ＬＥＤ３ａを点灯するための点灯回路の回路部品４が半田などを用いて実装されている回路基板４ｃを収納している。ここでは、樹脂ケース２の内部２ｇに収納している回路基板４ｃは、樹脂ケース２の外側の一面２ｆと対向して保持させた配線基板５に対して垂直方向に配置している。非常用照明器具１０は、配線基板５におけるＬＥＤ３ａが実装された一表面５ａ側の配線パターン（図示していない）と、ＬＥＤ３ａの点灯回路を構成する回路部品４が実装された回路基板４ｃ側とを樹脂ケース２の厚み方向に貫設した貫通孔（図示していない）を通した配線コード１５ａにより電気的に接続してある。また、樹脂ケース２の内部２ｇには、非常時に予備電源から電力の供給を受ける耐火電線（図示していない）と電気的に接続可能な端子台８が実装された実装基板８ｃを収納している。端子台８は、実装基板８ｃ上の図示していない実装パターンと、半田などを用いて電気的に接続させている。実装基板８ｃの実装パターンは、回路基板４ｃ側と、接続コード８ａで電気的に接続させている。端子台８は、ＬＥＤ３ａに電力を供給するため、接続コード８ａ、回路基板４ｃおよび配線コード１５ａを介してＬＥＤ３ａと電気的に接続されている。
【００２５】
非常用照明器具１０は、樹脂ケース２の内部２ｇにおいて、回路基板４ｃと実装基板８ｃとを対向して配置し、それぞれ樹脂ケース２の固定部（図示していない）で固定している。
【００２６】
配線基板５は、配線基板５の端部側を保持部２ｂたる螺子により樹脂ケース２の外側の一面２ｆ側に螺子止めして、配線基板５を樹脂ケース２に保持されている。
【００２７】
これにより、本実施形態の非常用照明器具１０は、樹脂ケース２の外側の一面２ｆにＬＥＤ３ａが一表面５ａ側に実装された配線基板５と、樹脂ケース２の内部２ｇに収納された点灯回路の回路部品４と、端子台８が実装された実装基板８ｃとが樹脂ケース２で一体化して構成した光源ユニット１１を備えている。また、非常用照明器具１０は、光源部３から光が取り出すことができるように、光源ユニット１１を器具本体１の開口部１ａから器具本体１の内部に収容している。
【００２８】
また、非常用照明器具１０は、ＬＥＤ３ａからの光を所定の配光とするレンズ９を備えた枠体部６を、器具本体１の開口部１ａを覆うように器具本体１の前面側に設けている。枠体部６は、円盤状であって中央部に開口６ａが設けられている。枠体部６の開口６ａにおける内端部にレンズ９を保持する保持突起部６ｂが一対設けられている。枠体部６は、レンズ９の外周部に設けられた鍔部９ａを枠体部６の開口６ａの外周に沿って設けられた一対の保持突起部６ｂ，６ｂで保持している。枠体部６は、器具本体１に収容された樹脂ケース２と器具本体１との隙間に、該隙間よりも若干厚みが厚く、枠体部６からレンズ９を囲むように突出した円筒状の保持枠６ｃを挿入して樹脂ケース２や保持枠６ｃの弾性力により器具本体１と一体化している。
【００２９】
すなわち、本実施形態の非常用照明器具１０は、有底円筒状の器具本体１と、ＬＥＤ３ａからの光を外部に所定の配光で照射するためのレンズ９を保持する枠体部６とで、光源ユニット１１の樹脂ケース２を器具本体１の内部に固定している。なお、非常用照明器具１０の光源部３となる複数個のＬＥＤ３ａから照射される光の配光を個別に制御するため複数個の反射部（図示していない）を配線基板５の一表面５ａ側に別途に設けてもよい。光源部３としてＬＥＤ３ａを備えた非常用照明器具１０は、ＬＥＤ３ａ自体が小型であるため、光源部にハロゲン電球などを用いたものと比較して、レンズ９や反射部を備えていても、小型化を比較的容易に行うことが可能となる。
【００３０】
非常用照明器具１０の器具本体１は、器具本体１の開口部１ａの開口縁から外方へ延設された外鍔部１ｂを備えている。また、器具本体１の外側面１ｃには、非常用照明器具１０を造営材たる天井材Ｃに固定する際に用いられる複数個（ここでは、２個）の板状の取付ばね７，７を設けている。取付ばね７は、取付ばね７の幅方向の端部を挟持する器具本体１の外側面１ｃに設けられた挟持部（図示していない）に、外形がＬ字形状の取付ばね７の一端部７ａを嵌め込み器具本体１側に係止させている。本実施形態の非常用照明器具１０は、天井材Ｃに貫設された取付孔Ｃ１に挿入され、複数個（ここでは、２個）の取付ばね７，７と、器具本体１の外鍔部１ｂとにより、天井材Ｃを挟持して固定する。
【００３１】
本実施形態の非常用照明器具１０は、外部の上記予備電源と電気的に接続された上記耐火電線を、器具本体１および樹脂ケース２に貫設された図示しない貫通孔を通して端子台８に接続させて、光源部３のＬＥＤ３ａに給電可能としている。
【００３２】
非常用照明器具１０の施工にあたっては、端子台８を上記耐火電線と電気的に接続させた後、器具本体１の外側面１ｃに設けられた各取付ばね７，７の他端部７ｂ，７ｂを、器具本体１の外側面１ｃ側に近づけるように押し倒した状態で、天井材Ｃの取付孔Ｃ１に挿入する。非常用照明器具１０は、器具本体１の外鍔部１ｂが天井材Ｃの取付孔Ｃ１の周部に当接するまで取付孔Ｃ１に押し込まれると、取付ばね７，７が器具本体１の外側面１ｃから離れる方向に開く。ここで、非常用照明器具１０は、取付ばね７の一部が取付孔Ｃ１の周部に弾接し、取付ばね７の一部と、器具本体１の外鍔部１ｂとで天井材Ｃを挟持することにより、天井材Ｃに取り付けられる。
【００３３】
こうして天井材Ｃに取り付けられた本実施形態の非常用照明器具１０は、非常時に点灯すると、非常用照明器具１０直下から所定の半径内の床面の水平面照度を所定の照度とする。すなわち、非常用照明器具１０は、ＬＥＤ３ａが発光した光がレンズ９に入射され、レンズ９のレンズ効果により屈折することで、ＬＥＤ３ａから照射された光の配光分布よりも、より広い非常用照明器具１０の配光分布に適した所定の広角な光を照射するように構成している。
【００３４】
ところで、電源別置型の非常用照明器具１０では、ＬＥＤ３ａの寿命が、たとえば、１００時間程度あればよい。そのため、非常用照明器具１０は、一般照明の光源部としてＬＥＤを備えた場合におけるＬＥＤの目標寿命（たとえば、２万時間から４万時間）よりも短く設計することができる。したがって、非常用照明器具１０は、光源部としてＬＥＤを備えたダウンライトなどと比較して、放熱用の構造に関し、より簡易な構造とすることができる。
【００３５】
非常用照明器具１０は、ＬＥＤ３ａを一表面５ａ側に実装した配線基板５の他表面５ｂ側を、金属材料と比較して一般に熱伝導性が低いが加工性に優れた樹脂ケース２の外側の一面２ｆと対向して樹脂ケース２に保持させている。すなわち、非常用照明器具１０は、ＬＥＤ３ａを一表面５ａ側に実装した配線基板５を樹脂ケース２に保持した場合でも、非常用照明器具１０におけるＬＥＤ３ａの寿命を満足するＬＥＤ３ａ自体の許容温度にすることができる。
【００３６】
以下、本実施形態の非常用照明器具１０の各構成について、より具体的に詳述する。
【００３７】
本実施形態の非常用照明器具１０に用いられる器具本体１は、金属材料（たとえば、アルミニウムやステンレスなど）や各種の樹脂材料で構成することができる。器具本体１を金属材料で構成する場合、非常用照明器具１０の施工時などに収容する樹脂ケース２が外力により撓んで変形することを抑制することが可能となる。また、器具本体１を金属材料で構成することにより、樹脂材料で形成させたものと比較して、非常用照明器具１０の耐火性を向上させることができる。器具本体１は、配線基板５や樹脂ケース２などを備えた光源ユニット１１を、枠体部６を用いて器具本体１の内部側に収容させて固定することができる。また、器具本体１には、樹脂ケース２を収容する開口部１ａの開口縁から外方へ延設され、非常用照明器具１０の天井材Ｃ側への固定に利用することができる外鍔部１ｂを好適に備えているが、器具本体１を天井材Ｃへ直接、螺子止めする場合などでは必ずしも必要ではない。本実施形態の非常用照明器具１０に用いられる器具本体１は、有底の円筒状に形成しているが、円筒状に限られず、有底の矩形筒状や椀形状であってもよい。
【００３８】
本実施形態の非常用照明器具１０に用いられる樹脂ケース２は、ＬＥＤ３ａが一表面５ａ側に実装された配線基板５を外側の一面２ｆ側に保持するとともに内部２ｇに回路基板４ｃを少なくとも保持することが可能なものである。このような樹脂ケース２は、各種の樹脂材料（たとえば、ＰＢＴなど）を用いて射出形成などにより形成することができる。本実施形態の非常用照明器具１０に用いられる樹脂ケース２は、器具本体１の内部に収容できるように、外周面２ｃが器具本体１の内周面１ｅと相似形で、器具本体１よりも若干小さい内部２ｇが空洞な円柱状に形成させているが、器具本体１の内部に収容可能であれば、矩形筒状など適宜の形状とすることができる。なお、樹脂ケース２は、たとえば、内部２ｇが空洞な円柱状の形状に形成させた場合、円柱状の形状を２分割させた一方の半円柱状のケース内に回路部品４を実装させた回路基板４ｃおよび端子台８を実装させた実装基板８ｃを収納した後、他方の半円柱状のケースと結合して形成すればよい。樹脂ケース２は、外側の一面２ｆに配線基板５を保持するとともに内部２ｇに回路基板４ｃを収納することで、光源ユニット１１として一体に取り扱うことができ、非常用照明器具１０の組み立てや設置を簡便に行うことが可能となる。
【００３９】
本実施形態の非常用照明器具１０に用いられる光源部３を構成するＬＥＤ３ａは、給電により光を照射することが可能な半導体発光素子である。このようなＬＥＤ３ａとして、たとえば、青色光や紫外線を発するＬＥＤチップと、該ＬＥＤチップから放射された光エネルギーにより励起されて、より長波長の光を放射する粒子状の蛍光体（たとえば、青色光により励起され発光波長域がブロードな黄色系の光を放射する蛍光体や紫外線により励起され青色、緑色および赤色をそれぞれ発光可能な３種類の蛍光体など）が含有された色変換部材とを備えることで、白色光などの混色光を照射させることができる。
【００４０】
ＬＥＤ３ａの構造は、図示しないが、たとえば、ＬＥＤチップから放射された光の配光を制御するドーム状に形成され、パッケージ基板との間に、上記ＬＥＤチップを収納する形で、上記パッケージ基板の一表面側とで囲まれた空間で上記ＬＥＤチップおよび該ＬＥＤチップと電気的に接続されたボンディングワイヤを封止した透光性材料（たとえば、シリコーン樹脂、エポキシ樹脂やガラスなど）からなる封止部と、パッケージ基板の上記一表面側から上記封止部を覆う形で配設され上記ＬＥＤチップから放射され上記封止部を透過した光によって励起され上記ＬＥＤチップとは異なる色の光を放射する蛍光体を含有した透光性材料により、ドーム状に形成された色変換部材とを備えたものを用いることができる。また、上記色変換部材と上記封止部の表面との間には、空気層を備えて形成することもできる。
【００４１】
ここで、ＬＥＤ３ａは、たとえば、発光層に青色光を放射するＩｎＧａＮなどの窒化ガリウム系化合物半導体を用いたＬＥＤチップと、青色光を吸収して補色となる黄色光などを放射するＥｕで付活された（Ｓｒ，Ｂａ）２ＳｉＯ４などの希土類でドープされた珪酸塩系の蛍光体、Ｃｅで付活されたＹ３Ａｌ５Ｏ１２やＣｅで付活されたＴｂ３Ａｌ５Ｏ１２などの希土類でドープされたアルミネート系の蛍光体などが透光性材料中に含有された上記色変換部材とを用いることで白色光を得ることができる。
【００４２】
さらに、ＬＥＤ３ａは、上記色変換部材を用いる代わりに蛍光体を含有しない透光性部材で、赤色光を発光する赤色ＬＥＤチップ、緑色光を発光する緑色ＬＥＤチップおよび青色光を発光する青色ＬＥＤチップを覆った構成として、白色光を発光させることもできる。このような、ＬＥＤ３ａは、リフロー半田付けなどにより、配線基板５の一表面５ａの上記配線パターンに表面実装するとともに電気的に接続させることができる。
【００４３】
このほか、ＬＥＤ３ａは、ベアチップとなるＬＥＤチップでもよいし、ＬＥＤチップを合成樹脂などのパッケージで被覆させ外部に給電のためのリード端子が設けられた表面実装型発光ダイオードなどを用いてもよい。
【００４４】
非常用照明器具１０に用いられるＬＥＤ３ａは、所望に応じて配線基板５の一表面５ａ上に複数個設けることができ、各ＬＥＤ３ａを配線基板５の一表面５ａ側の上記配線パターンを用いて電気的に直列接続、並列接続や直並列接続させてもよい。配線基板５の一表面５ａ側のＬＥＤ３ａは、平面視において、マトリックス状、千鳥状や円形状など適宜に配置させることができる。
【００４５】
本実施形態の非常用照明器具１０における点灯回路の回路部品４は、外部の予備電源から供給される電力に基づいて光源部３のＬＥＤ３ａを点灯可能な点灯回路の構成に用いている。本実施形態の非常用照明器具１０では、回路部品４が実装される回路基板４ｃと、端子台８が実装された実装基板８ｃとに分けているが、回路基板４ｃの実装スペースに端子台８を配置する余裕があれば、回路基板４ｃ上に端子台８を実装して実装基板８ｃを設けなくともよい。回路基板４ｃは、たとえば、ガラスエポキシ樹脂基板、セラミック基板や金属ベース基板などを適宜に用いればよい。非常用照明器具１０は、少なくとも商用電源などの停電時に外部の予備電源からの電力の供給を受けて、非常用照明器具１０におけるＬＥＤ３ａの寿命を満足するＬＥＤ３ａ自体の許容温度で点灯できればよい。したがって、非常用照明器具１０は、非常用照明器具１０におけるＬＥＤ３ａの寿命を満足するＬＥＤ３ａ自体の許容温度であれば、非常用照明器具１０が正常に点灯するかの保守点検時に外部の予備電源などを利用して光源部３のＬＥＤ３ａを点灯させることもできる。なお、非常用照明器具１０は、非常用照明器具１０におけるＬＥＤ３ａの寿命を満足するＬＥＤ３ａ自体の許容温度内であるかを温度センセで検知してＬＥＤ３ａを自動で消灯させる検温機能を備えてもよいし、所定の時間経過後にＬＥＤ３ａを消灯させるタイマ機能を備えてもよい。
【００４６】
たとえば、非常用照明器具１０は、点灯回路を構成する回路部品４として、図示していない手動のスイッチおよび該スイッチと連動するタイマを備えさせ、スイッチを操作することにより、ＬＥＤ３ａをタイマの所定時間の間だけ点灯させてＬＥＤ３ａの動作を確認する機能を備えてもよい。さらに、非常用照明器具１０は、外部のリモートコントローラから送信される無線信号などに基づいて、ＬＥＤ３ａへの出力を制御してＬＥＤ３ａの点灯や消灯を制御させる制御回路部を備えた点灯回路の構成としてもよい。これにより、非常用照明器具１０が正常に動作するか否かの点検を比較的容易に行うことができる。なお、制御回路部は、適宜の制御プログラムを搭載したマイクロコンピュータなどで構成すればよい。さらに、非常用照明器具１０は、制御回路で点滅点灯することができるように点灯回路を構成してもよい。
【００４７】
本実施形態の非常用照明器具１０における配線基板５は、ＬＥＤ３ａが実装された一表面５ａ側に、ＬＥＤ３ａに電力を供給する上記配線パターンが形成されている。また、配線基板５は、他表面５ｂ側にＬＥＤ３ａを点灯させる点灯回路における回路部品４が実装された回路基板４ｃ側と、配線コード１５ａを介して電気的に接続させる配線パターンが形成されている。他表面５ｂに上記配線パターンを備えた配線基板５を用いた場合、配線基板５は、一表面５ａ側の配線パターンと、他表面５ｂ側の配線パターンとを配線基板５の厚み方向に貫設させた貫通配線で電気的に接続させればよい。このような配線基板５としては、たとえば、ガラスエポキシ樹脂基板だけに限られず、アルミナセラミック基板や窒化アルミニウム基板などのセラミック基板からなる絶縁性基板上に、金属材料（たとえば、Ａｕなど）を用いた配線パターンが形成されたもの、金属ベース基板などを用いることもできる。
【００４８】
配線基板５は、非常用照明器具１０における樹脂ケース２の外側の一面２ｆ側で保持できればよい。したがって、配線基板５は、平面視において、円形状、楕円形状や多角形状など適宜の形状とすることができる。なお、本実施形態の非常用照明器具１０に用いられる配線基板５は、たとえば、一対の保持部２ｂ，２ｂに配線基板５の一表面５ａ側から樹脂ケース２の一面２ｆ側に螺子締めすることにより、固定することもできるし、接着剤（図示していない）により固定させてもよい。
【００４９】
配線基板５は、ＬＥＤ３ａを配線基板５の一表面５ａ上に設けられた上記配線パターンの一部からなるダイパッド部にＡｕＳｎ、半田や銀ペーストなどの接合材料を用いて接合することができる。配線基板５の一表面５ａ上には、上記配線パターンを電気的や機械的に保護するため、適宜に合成樹脂などからなる保護膜を形成させてもよい。配線基板５の一表面５ａ側は、所望に応じて、白色塗装膜を形成させてもよい。これにより、配線基板５は、ＬＥＤ３ａからの光を効率よく反射させることもできる。
【００５０】
非常用照明器具１０の枠体部６は、光源ユニット１１を構成する樹脂ケース２を、器具本体１の内部に収容し保持するために好適に用いられる。特に、本実施形態の非常用照明器具１０に用いられる枠体部６は、天井材Ｃに設置する非常用照明器具１０の外観に固定螺子の螺子頭などが見えることで見栄えを損なうことなく、配線基板５が保持された樹脂ケース２を器具本体１側に固定することができる。枠体部６は、たとえば、開口６ａの外周に沿って設けられた一対の保持突起部６ｂ，６ｂで、レンズ９の外周部に設けられた鍔部９ａを保持している。このような枠体部６は、アルミニウムなどの金属材料や合成樹脂材料を用いて形成することができる。枠体部６は、たとえば、枠体部６の一対の保持突起部６ｂ，６ｂの少なくとも一方に図示していない切欠部を備え、該切欠部からレンズ９の外周部に部分的に設けられた鍔部９ａを挿入し、レンズ９と枠体部６とを相対的に回動させることにより、レンズ９を保持させればよい。また、枠体部６は、枠体部６やレンズ９を構成する材料の弾性を利用して、一対の保持突起部６ｂ，６ｂの間に嵌め込んで保持させる構成としてもよい。
【００５１】
取付ばね７は、非常用照明器具１０を造営材である天井材Ｃに貫設された取付孔Ｃ１の内側に配置させるため、器具本体１の外側面１ｃに複数個、好適に設けられるものであって、非常用照明器具１０の設置形態によっては、必ずしも必要ではない。
【００５２】
端子台８は、非常時に図示していない外部の予備電源から電力の供給を受けて、器具本体１に収容した光源部３たるＬＥＤ３ａに電力を供給するため、外部の耐火電線（図示していない）と電気的に接続するための端子として好適に設けられている。端子台８は、たとえば、ガラスエポキシ樹脂基板、セラミック基板、金属ベース基板などを適宜に用いて形成された実装基板８ｃ上の図示していない実装パターンと、半田などを用いて電気的に接続させてばよい。実装基板８ｃの実装パターンは、回路基板４ｃ側と、接続コード８ａで電気的に接続させればよい。
【００５３】
本実施形態の非常用照明器具１０に用いられるレンズ９は、ＬＥＤ３ａからの光を所定の配光にするために好適に設けられ、たとえば、レンズ９の材料として、ガラスやアクリル樹脂などを用いることができる。レンズ９は、たとえば、非常用照明器具１０からの光を所望の配光が得られるように凸レンズ形状や平凸レンズ形状など適宜の形状に形成してもよい。さらに、レンズ９の代わりに、器具本体１の内部側を保護する目的で、平板状の透光性プレートを配置させるものだけでもよい。また、透光性プレートは、ＬＥＤ３ａから照射され透光性プレートを透過する光に指向性を持たせるため、透光性プレートの表面をプリズム状に加工させてもよい。
【００５４】
なお、本実施形態の非常用照明器具１０では、図１に示すように、ＬＥＤ３ａから照射された光の配光を広げるために、レンズ９の厚みが中央部側で窪んだ両凹面状に形成させている。これにより、本実施形態の非常用照明器具１０のレンズ９は、ＬＥＤ３ａからレンズ９の中央部に入射する光を側方に屈折させて非常用照明器具１０から照射させることができる。これにより、本実施形態の非常用照明器具１０は、非常用照明器具１０直下から所定の半径内の床面の水平面照度を所定の照度（たとえば、１ｌｘ）以上としている。
【００５５】
（実施形態２）
図２に示す本実施形態の非常用照明器具１０は、図１に示した実施形態１のように、配線基板５が保持部２ｂとしての螺子を用いて、樹脂ケース２の一面２ｆ側に保持した構成とする代わりに、樹脂ケース２自体に設けた保持部２ｂによって配線基板５を保持した点が相違する。なお、図中において実施形態１と同じ部材に対しては、同じ番号を付して説明を省略している。
【００５６】
以下、本実施形態の非常用照明器具１０を、図２を用いて説明する。
【００５７】
本実施形態の非常用照明器具１０は、非常時に外部の予備電源（図示していない）から電力の供給を受けて器具本体１に備えた光源部３を点灯する電源別置型の非常用照明器具１０である。非常用照明器具１０は、図２に示すように光源部３としてＬＥＤ３ａを備え該ＬＥＤ３ａを一表面５ａ側に実装する配線基板５と、ＬＥＤ３ａを点灯させる点灯回路の回路部品４を実装する回路基板４ｃと、該回路基板４ｃを内部２ｇに収納するとともに、外側に該外側の一面２ｆと配線基板５の他表面５ｂ側とを対向させて配線基板５を保持する樹脂ケース２と、光源部３を露出させる開口部１ａを備え樹脂ケース２を収容する有底筒状の器具本体１とを有している。
【００５８】
特に、本実施形態の非常用照明器具１０は、樹脂ケース２が、該樹脂ケース２の一面２ｆ側から立設した立設部２ｅから一面２ｆと平行方向に突出する突起２ｂｂを備えた保持部２ｂを備え、該保持部２ｂの突起２ｂｂと一面２ｆとの間に配線基板５の縁部５ｃを挟持して配線基板５を保持することが可能に構成している。
【００５９】
なお、本実施形態の非常用照明器具１０に用いられる配線基板５は、たとえば、円形状の場合、樹脂ケース２の一対の保持部２ｂ，２ｂで保持できるように、外径が樹脂ケース２の開口部２ａの内径よりも若干小さな円形状としている。配線基板５は、樹脂材料の弾性を利用して、樹脂ケース２の一対の保持部２ｂ，２ｂの間に嵌め込んで保持させればよい。また、樹脂ケース２は、たとえば、樹脂ケース２の一対の保持部２ｂ，２ｂの少なくとも一方に図示していない切欠部を備え、該切欠部から配線基板５の外周部に部分的に突出した端部を挿入し、配線基板５と樹脂ケース２とを相対的に回動させることにより、配線基板５を保持させる構成としてもよい。
【００６０】
また、非常用照明器具１０は、一表面５ａ側に光源部３となるＬＥＤ３ａが実装され、他表面５ｂ側が外側の一面２ｆに保持された配線基板５を備えた樹脂ケース２を器具本体１に収容して保持している。樹脂ケース２の内部２ｇには、配線基板５と配線コード１５ａを介して電気的に接続された回路基板４ｃおよび回路基板４ｃと接続コード８ａを介して電気的に接続させた実装基板８ｃとを収納している。また、レンズ９を保持する枠体部６は、樹脂ケース２の外周面２ｃと、器具本体１の内周面１ｅとの隙間に、枠体部６からレンズ９を囲むように突出した円筒状の保持枠６ｃを挿入し、樹脂ケース２や保持枠６ｃの弾性力により器具本体１と一体化している。ＬＥＤ３ａより発光した光は、レンズ９に入射され、屈折することにより、ＬＥＤ３ａから照射された光の配光分布よりも、より広い非常用照明器具１０の配光分布に適した所定の広角な光を照射することが可能となる。
【００６１】
本実施形態の非常用照明器具１０は、予め外部の耐火電線（図示していない）と実装基板８ｃの端子台８とを電気的に接続させた後、ＬＥＤ３ａが実装された配線基板５を保持する樹脂ケース２を有底筒状の器具本体１に収容する。
【００６２】
言い換えれば、本実施形態の非常用照明器具１０は、樹脂ケース２が、ＬＥＤ３ａを実装した配線基板５の縁部５ｃを樹脂ケース２の一面２ｆと保持部２ｂの突起２ｂｂとで抱え込むように挟持し、配線基板５の他表面５ｂ側と樹脂ケース２の一面２ｆとを互いに当接して配線基板５を保持している。すなわち、樹脂ケース２は、外部の一面２ｆにＬＥＤ３ａが実装された配線基板５、内部２ｇに回路基板４ｃおよび実装基板８ｃを収納して一体となった光源ユニット１１を構成することができる。これにより、本実施形態の電源別置型の非常用照明器具１０は、ＬＥＤ３ａが実装された配線基板５の設置を容易とし、組立作業性を向上させることが可能となる。
【００６３】
（実施形態３）
図３に示す本実施形態の非常用照明器具１０は、図２に示した実施形態２のように、回路基板４ｃ側と、配線基板５側とを配線コード１５ａにより、樹脂ケース２の貫通孔（図示していない）を介して電気的に接続させた構成とする代わりに、配線基板５の他表面５ｂ側に設けたコネクタ接続部１５ｃと、回路基板４ｃに設けられたコネクタ１５ｂにより接続させた点が相違する。なお、図中において実施形態２と同じ部材に対しては、同じ番号を付して説明を省略している。
【００６４】
以下、本実施形態の非常用照明器具１０を、図３を用いて説明する。
【００６５】
本実施形態の非常用照明器具１０は、配線基板５が配線基板５の他表面５ｂ側にＬＥＤ３ａと電気的に接続されたコネクタ接続部１５ｃを備え、該コネクタ接続部１５ｃと、樹脂ケース２の内部２ｇに収容した回路基板４ｃに設けられ点灯回路と電気的に接続されたコネクタ１５ｂとが、樹脂ケース２の貫通孔２ｄを通して電気的および機械的に接続されている。
【００６６】
本実施形態の非常用照明器具１０は、配線基板５を樹脂ケース２側に保持させるにあたって、ＬＥＤ３ａが一表面５ａ側に実装された配線基板５の他表面５ｂに実装されたコネクタ接続部１５ｃと、樹脂ケース２の内部２ｇに収容された回路基板４ｃに実装されたコネクタ１５ｂとが、樹脂ケース２の貫通孔２ｄを通して電気的および機械的に同時に接続されている。
【００６７】
これにより、本実施形態の電源別置型の非常用照明器具１０は、予め回路基板４ｃと配線基板５とを配線コード１５ａを半田などにより電気的に接続させてから、樹脂ケース２に配線基板５を保持させるものと比較して、配線基板５側のコネクタ接続部１５ｃと、回路基板４ｃのコネクタ１５ｂとを接続して配線基板５を樹脂ケース２側に保持させればよいだけであるから非常用照明器具１０の組立作業性を更に向上させることが可能となる。
【符号の説明】
【００６８】
１  器具本体
１ａ  開口部
２  樹脂ケース
２ｂ  保持部
２ｂｂ  突起
２ｄ  貫通孔
２ｅ  立設部
２ｆ  一面
２ｇ  内部
３  光源部
３ａ  ＬＥＤ
４  回路部品
４ｃ  回路基板
５  配線基板
５ａ  一表面
５ｂ  他表面
５ｃ  縁部
１０  非常用照明器具
１５ｃ  コネクタ接続部
１５ｂ  コネクタ
【図１】
0005632719.tif 000002
【図２】
0005632719.tif 000003
【図３】
0005632719.tif 000004
【図４】
0005632719.tif 000005